(57)【要約】【課題】  必要に応じたサイズの画像データを貼付した画像貼付データを生成する画像処理装置を提供する。【解決手段】  ユーザから取得するサイズ情報により、プレゼンテーション用シートに貼付する画像のサイズを特定し、画像ＤＢ１０５に保存されている画像データのサイズを減少させる。サイズ減少後の画像データをプレゼンテーション用シートに貼付して、画像貼付データを生成する。【選択図】        図１
2005311803.tif 000002
【特許請求の範囲】
【請求項１】
画像データを処理する画像処理装置であって、
画像データを貼り付け可能な所定の画像貼付領域の画素数単位のサイズを取得するサイズ取得部と、
前記画像貼付領域のサイズに基づいて前記画像データの画素数単位のサイズを減少させることによって、前記画像データのデータ量を減少させるサイズ減少部と、
サイズ減少後の画像データを前記画像貼付領域に貼り付けた画像貼付データを生成する貼付データ生成部と
を備えた画像処理装置。
【請求項２】
請求項１記載の画像処理装置であって、更に、
前記画像データのサイズを決定するためにユーザによって指定されたサイズ情報を取得するサイズ情報取得部を備え、
前記サイズ減少部は、前記画像データのサイズを前記サイズ情報と前記画像貼付領域のサイズとに基づいて減少させる
画像処理装置。
【請求項３】
請求項２記載の画像処理装置であって、
前記サイズ情報は、前記画像貼付領域のサイズに対する前記画像データのサイズの比率である画像処理装置。
【請求項４】
画像データを処理する画像処理方法であって、
画像データを貼り付け可能な所定の画像貼付領域の画素数単位のサイズを取得するサイズ取得工程と、
前記画像貼付領域のサイズに基づいて前記画像データの画素数単位のサイズを減少させることによって、前記画像データのデータ量を減少させるサイズ減少工程と、
サイズ減少後の画像データを前記画像貼付領域に貼り付けた画像貼付データを生成する貼付データ生成工程と
を備えた画像処理方法。
【請求項５】
画像データを処理するためのコンピュータプログラムであって、
画像データを貼り付け可能な所定の画像貼付領域の画素数単位のサイズを取得するサイズ取得機能と、
前記画像貼付領域のサイズに基づいて前記画像データの画素数単位のサイズを減少させることによって、前記画像データのデータ量を減少させるサイズ減少機能と、
サイズ減少後の画像データを前記画像貼付領域に貼り付けた画像貼付データを生成する貼付データ生成機能と
をコンピュータに実現させるためのコンピュータプログラム。
【発明の詳細な説明】
【技術分野】
【０００１】
本発明は、画像データを貼付した画像貼付データのデータ量の低減技術に関する。
【背景技術】
【０００２】
従来、プレゼンテーション作成支援ソフト（例えばｐｏｗｅｒｐｏｉｎｔ（マイクロソフト社の商標））では、プレゼンテーション用のシート上に画像を挿入する際、画像データをそのまま貼り付けている。
【０００３】
【特許文献１】特開平９−２２４６９号公報
【発明の開示】
【発明が解決しようとする課題】
【０００４】
しかしながら、プレゼンテーション用のシート上に画像データをそのまま貼り付けた場合、以下の不都合が生じる。画像データの解像度（画素数の単位で測ったサイズ）がプロジェクタの解像度より大きい場合は、画像データの解像度でそのまま表示できないにも関わらず、プレゼンテーション用シートのデータサイズが不必要に大きくなってしまう。データサイズが大きいと、データの送受信などを行なう際に不便である。
【０００５】
このような問題は、プレゼンテーション用のシート上に画像データを貼り付ける場合に限らず、一般に、所定の画像貼付領域に画像を貼り付ける場合に共通する問題であった。
【０００６】
本発明は、上記した問題点を解決するためになされたものであり、画像データを貼付した画像貼付データのデータ量を低減する技術を提供することを目的とする。
【課題を解決するための手段】
【０００７】
上記課題の少なくとも一部を解決する画像処理装置は、
画像データを処理する画像処理装置であって、
画像データを貼り付け可能な所定の画像貼付領域の画素数単位のサイズを取得するサイズ取得部と、
前記画像貼付領域のサイズに基づいて前記画像データの画素数単位のサイズを減少させることによって、前記画像データのデータ量を減少させるサイズ減少部と、
サイズ減少後の画像データを前記画像貼付領域に貼り付けた画像貼付データを生成する貼付データ生成部と
を備えることを特徴とする。
【０００８】
本発明によれば、画像貼付データのデータ量を低減することができる。
【０００９】
上記した画像処理装置は、更に、
前記画像データのサイズを決定するためにユーザによって指定されたサイズ情報を取得するサイズ情報取得部を備え、
前記サイズ減少部は、前記画像データのサイズを前記サイズ情報と前記画像貼付領域のサイズとに基づいて減少させるものとしても良い。
【００１０】
これによれば、ユーザ指定サイズの画像データを貼り付けた画像貼付データを生成することができる。
【００１１】
更に、前記サイズ情報は、前記画像貼付領域のサイズに対する前記画像データのサイズの比率であるものとしても良い。
【００１２】
このようにすれば、簡便に画像データのサイズの指定が行なわれうる。
【００１３】
なお本発明は種々の形態で実現可能であり、例えば、画像処理方法および装置，画像出力方法および装置，プレゼンテーションデータ作成方法および装置，これらの方法または装置の機能を実現するためのコンピュータプログラム、そのプログラムを記録した記録媒体等の形態で実現可能である。
【００１４】
本発明をコンピュータプログラムまたはそのプログラムを記録した記録媒体等として構成する場合には、ネットワーク機器の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００１５】
以下、本発明の実施の形態について、以下の項目に分けて説明する。
Ａ．実施例：
Ｂ．変形例：
【００１６】
Ａ．実施例：
図１は、本発明の一実施例としての画像処理装置を備えた画像処理システムの全体構成図である。画像処理システムは、プレゼンテーション用のシート上に貼り付ける画像データのサイズを減少させ、サイズ減少後の画像データを貼り付けた画像貼付データを生成することを目的としたシステムである。画像データは、写真や絵などのデータであり、動画像であっても良い。
【００１７】
画像処理システムは、パーソナルコンピュータ３００に、サイズ減少装置１００と、外部記憶装置４００と、プロジェクタ５００とを接続することで構成されている。パーソナルコンピュータ３００には、連携プログラム２００とプレゼンテーション作成支援プログラム６００がインストールされている。サイズ減少装置１００は、パーソナルコンピュータ３００のＬＡＮポートに接続されている。サイズ減少装置１００が接続されているポートはＵＳＢポート，シリアルポートなど他種のポートであっても良い。
【００１８】
本実施例において、画像貼付データを生成するための画像処理装置は、ハードウェアとしてのサイズ減少装置１００と、ソフトウェアとしての連携プログラム２００及びプレゼンテーション作成支援プログラム６００により構成されている。サイズ減少装置１００は、ハードディスクやＬＡＮポート，ＣＰＵ，メモリを備えた装置であり、連携プログラム２００と連携して、プレゼンテーション用シートに貼り付ける画像データのサイズを減少させる機能を有する。一方、プレゼンテーション作成支援プログラム６００は、サイズ減少後の画像データを貼り付けた画像貼付データを生成する機能を有する。なお、本実施例において「画像データのサイズ」とは画素数の単位で測ったサイズを言い、「解像度」とも呼ぶ。
【００１９】
連携プログラム２００は、制御部２１０と、解像度取得部２２０と、サイズ情報取得部２１５と、送受信部２２５の機能を備えている。解像度取得部２２０は、プロジェクタ５００の解像度を取得する。サイズ情報取得部２１５は、プレゼンテーション用シートに貼り付ける画像データの貼り付けサイズを示す「サイズ情報」を取得する。サイズ情報に関しては後述する。送受信部２２５は、サイズ減少装置１００との通信や、プレゼンテーション作成支援プログラム６００とのデータ送受信を制御する。制御部２１０は、解像度取得部２２０とサイズ情報取得部２１５と送受信部２２５の動作を制御する。
【００２０】
サイズ減少装置１００は、制御部１２５と、画像一覧作成部１１０と、サイズ減少部１２０と、送受信部１１５と、画像データベース（ＤＢ）１０５とを備えている。画像一覧作成部１１０は、画像ＤＢ１０５から画像データを読出し、画像ＤＢ１０５に保存されている画像の一覧表示を作成する。サイズ減少部１２０は、連携プログラム２００から供給されるサイズ情報に基づいて、画像データのサイズを減少させる。送受信部１１５は、連携プログラム２００との通信を行なう。本実施例では、制御部１２５と画像一覧作成部１１０とサイズ減少部１２０は、ソフトウェアで実現されているが、ハードウェアで実現することも可能である。
【００２１】
プレゼンテーション作成支援プログラム６００は、サイズ減少装置１００から連携プログラム２００を経由して送信されたサイズ減少後の画像データを、プレゼンテーション用シートに貼り付け、画像貼付データを生成する。
【００２２】
外部記憶装置４００は、画像貼付データを保存するための記憶装置であり、ＣＤ−Ｒ/ＲＷドライブであっても良いし、ＤＶＤ−ＲＯＭドライブであっても、メモリカードなどであっても良い。プロジェクタ５００は、画像貼付データを表示する表示装置である。表示装置としては、プロジェクタ５００の代わりにＬＣＤ（液晶ディスプレイ）やＣＲＴ（カソード・レイ・チューブ），ＰＤＰ（プラズマ・ディスプレイ・パネル）を使用しても良い。
【００２３】
図２は、プレゼンテーション用シートｓｈ上に画像を貼り付ける様子を示す説明図である。図２（Ａ）はプレゼンテーション用シートｓｈに貼り付ける前の画像データ（以下、元の画像データと呼ぶ）である。この例では、元の画像データのサイズは２０００×１５００画素である。図２（Ｂ）〜図２（Ｅ）は、図２（Ａ）の画像データをプレゼンテーション用シートｓｈに貼り付けた後の画像データ、つまり画像貼付データを示す。元の画像データは、プレゼンテーション用シートｓｈに、図２（Ｂ）〜図２（Ｅ）で示す所定の「比率」で貼り付けられる。「比率」は、プロジェクタ５００の解像度に対する、画像データのサイズの比率である。この例では、プロジェクタ５００の解像度は１６００×１２００画素である。なお、画像データを貼り付ける際には、プレゼンテーション用シートｓｈのサイズがプロジェクタ５００の解像度に等しいとみなして以下の処理を実行する。このプレゼンテーション用シートｓｈのサイズは、パーソナルコンピュータ３００上にプレゼンテーション用シートｓｈが表示されるときのサイズとは無関係である。
【００２４】
図２（Ｂ）は、「比率」として「全体」が選択されて生成された画像貼付データを示す。図２（Ｂ）の画像データのサイズは、元の画像データから画素を間引くことにより、プロジェクタ５００の解像度である１６００×１２００画素に減らされている。図２（Ｃ）は「比率」として「３／４」が選択されて生成された画像貼付データを示す。図２（Ｃ）の画像データのサイズは、プロジェクタ５００の解像度の「３／４」、つまり１２００×９００画素に減らされている。図２（Ｄ）は「比率」として「１／２」が選択されて生成された画像貼付データを示す。図２（Ｄ）の画像データのサイズは、プロジェクタ５００の解像度の「１／２」、つまり８００×６００画素に減らされている。図２（Ｅ）は「比率」として「１／４」が選択されて生成された画像貼付データを示す。図２（Ｅ）の画像データのサイズは、プロジェクタ５００の解像度の「１／４」、つまり４００×３００画素に減らされている。
【００２５】
図３は、画像貼付データ生成処理を示すフローチャートである。左側がサイズ減少装置１００のフローチャートであり、右側が連携プログラム２００のフローチャートである。
【００２６】
プレゼンテーション作成支援プログラム６００を用いて、ユーザにより、画像データを挿入する指示が出されると、連携プログラム２００の解像度取得部２２０は、パーソナルコンピュータ３００のモニタに解像度取得画面を表示させる（ステップＳ２１０）。
【００２７】
図４は、解像度取得画面を示す説明図である。解像度取得画面は複数の選択肢を含んでいる。図４の例では、選択肢として、ＳＶＧＡ（８００×６００画素）と、ＸＧＡ（１０２４×７６８画素）と、ＳＸＧＡ（１２８０×１０２４画素）と、ＵＸＧＡ（１６００×１２００画素）と、「現在接続中の機器の解像度自動取得」と、「一覧から機器を選ぶ」の６つの選択肢が存在する。ユーザはこれらのいずれかを指定することにより、プロジェクタ５００の解像度を指定する。「一覧から機器を選ぶ」場合には、ユーザは、出力装置の名称を選択エリア７００から選択することにより、その名称の出力装置の解像度を指定することができる。「現在接続中の機器の解像度自動取得」が選択された場合には、解像度取得部２２０が、パーソナルコンピュータ３００のシステム情報（例えばデバイスドライバ）からプロジェクタ５００の解像度を取得する。あるいは、解像度取得部２２０は、パーソナルコンピュータ３００に接続されているプロジェクタ３００を探索し、そのプロジェクタ５００から機種情報を取得して、この機種情報から解像度を決定するようにしても良い。連携プログラム２００は、こうして取得した解像度をサイズ減少装置１００に送信する（ステップＳ２２０）。
【００２８】
サイズ減少装置１００の画像一覧作成部１１０は、連携プログラム２００からプロジェクタ５００の解像度を受信すると、画像ＤＢ１０５内の画像データの画像一覧を作成し、画像一覧の画像の「画像ＩＤ」と共に、画像一覧を連携プログラムに送信する（ステップＳ１１０）。「画像ＩＤ」とは、画像を特定するためのＩＤである。連携プログラム２００は、画像一覧とサイズ取得エリアをパーソナルコンピュータ３００のモニタに表示させる（ステップＳ２３０）。
【００２９】
図５は、画像一覧ｓｎとサイズ取得エリアｓｚ、及びプレゼンテーション用シートｓｈを示す説明図である。画像一覧ｓｎとサイズ取得エリアｓｚは１つの画面ｇｍに表示される。すなわち、画面ｇｍとプレゼンテーション用シートｓｈは、パーソナルコンピュータ３００の同一モニタ上に別々のウィンドウとして表示される。
【００３０】
ユーザは、画像一覧ｓｎの中から任意の画像を選択し、また、サイズ取得エリアｓｚから「比率」を選択することによって、サイズ情報を入力する。ここで、サイズ情報とは「比率」を含む情報のことである。この「比率」は、先述したように「全体」と「３／４」と「１／２」と「１／４」のうちから１つを選択する。図５の画像一覧ｓｎの中では、一重枠で囲まれた画像が選択された画像である。ユーザは、選択した画像上でマウスボタンを押し、プレゼンテーション用シートｓｈにおいて画像を挿入する位置までマウスカーソルを移動し、その位置でマウスボタンを離す（ドラッグ＆ドロップ）。
【００３１】
マウスボタンが離されたら、連携プログラム２００のサイズ情報取得部２１５は、選択された画像の「画像ＩＤ」とサイズ情報とをサイズ減少装置１００に送信する（ステップＳ２４０）。但し、プレゼンテーション用シートｓｈ内でドロップされなかったら、「画像ＩＤ」とサイズ情報は送信しない。
【００３２】
サイズ減少装置１００は、選択された画像のサイズが、「比率」で指定されている画像サイズより小さい場合は（ステップＳ１２０：ＮＯ）、連携プログラム２００に警告情報を送信して（ステップＳ１３０）、処理を終了する。例えば「比率」が「１／２」の場合、「比率」で指定されている画像サイズは、プロジェクタ５００の解像度の１／２で８００×６００画素である。よって、「画像ＩＤ」に相当する画像のサイズが６００×４５０画素の場合など、８００×６００画素より小さい場合は、警告情報を送信する。
【００３３】
画像ＤＢ１０５内の画像のサイズが、サイズ情報の「比率」で指定されている画像サイズ以上である場合は（ステップＳ１２０：ＹＥＳ）、画像ＤＢ１０５内の画像のサイズを、「比率」で指定されている画像サイズまで減少させる（ステップＳ１４０）。例えば「比率」が「１／２」の場合、「比率」で指定されている画像サイズは８００×６００画素である。よって、元の画像のサイズを８００×６００画素まで減少させる。そして、サイズ減少後の画像データを連携プログラム２００に送信する（ステップＳ１５０）。
【００３４】
連携プログラム２００は、警告情報を受信した場合は（ステップＳ２５０：ＹＥＳ）、モニタに警告を表示する（ステップＳ２６０）。警告としては「画像のサイズが指定サイズより小さいため、粗い画像になります。ＯＫの場合は、「ＯＫ」ボタンを押して下さい。他の画像を選択する場合は「他の画像」ボタンを押して下さい。」と言った内容を表示する。なお、元の画像のサイズが、「比率」で指定されている画像サイズより小さい場合に、元の画像サイズを大きくして貼り付けないようにすれば、ぼやけた画像をプレゼンテーション用シートｓｈに貼り付けることを防ぐことができる。
【００３５】
警告情報を受信しない場合（ステップＳ２５０：ＮＯ）、つまり、サイズ減少後の画像データを受信した場合は、プレゼンテーション作成支援プログラム６００に、その画像データを送信する（ステップＳ２７０）。
【００３６】
プレゼンテーション作成支援プログラム６００は、プレゼンテーション用シートｓｈのドロップ先に、受信した画像データを表示し、プレゼンテーション用シートｓｈのドロップ先に相当する位置にサイズ減少後の画像データを貼り付け、画像貼付データを生成する。画像貼付データには、プレゼンテーション用シートｓｈにおける画像の表示位置や大きさを特定するための画像配置情報（オフセットおよび幅×高さ）も保存する。この画像配置情報は、プレゼンテーション用シートｓｈ上で定義された座標系で表現されており、画像データのデータ量とは無関係である。なお、「比率」が「全面」である場合は、プレゼンテーション作成支援プログラム６００は、ドロップ先に関わらず、プレゼンテーション用シートｓｈの全面に画像データを表示し、画像貼付データを生成する。連携プログラム２００からの終了コマンドにより、プレゼンテーション作成支援プログラム６００における画像データの貼り付け処理は終了する。ユーザは、プレゼンテーション作成支援プログラム６００を用いて、外部記憶装置４００に画像貼付データをファイルとして保存する。
【００３７】
以上説明したように、本実施形態の画像処理システムによれば、画像貼付データのデータ量を低減することができる。例えば、元の画像データのサイズが２０４８×１５３６画素であって、サイズ減少後の画像データのサイズが１０２４×７６８画素である場合、元の画像データのＪＰＥＧ形式のファイルサイズは８００ＫＢであるのに対し、サイズ減少後の画像データのファイルサイズは８０ＫＢになる。よって、プレゼンテーション用シートｓｈにサイズ減少後の画像データを貼り付けることにより、画像貼付データのファイルサイズを小さくすることができる。
【００３８】
Ｂ．変形例：
なお、この発明は上記の実施形態に限られるものではなく、その要旨を逸脱しない範囲において種々の態様において実施することが可能であり、例えば次のような変形も可能である。
【００３９】
（１）上記実施例では、プロジェクタ５００の画面の縦横比と、元の画像の縦横比が同じ値（３：４）である場合について説明したが、両者が異なる場合もある。この場合に、「比率」が「全体」と指定されたときには、画像の縦横比をプロジェクタ５００の縦横比と一致させることによって、画面全体に画像が表示されるようにしても良い。あるいは、プロジェクタ５００の縦横比に関わらず、元の画像データの縦横比を変えないように画像データのサイズを減少させるものとしても良い。
【００４０】
図６は、元の画像データの縦横比を変化させない例を示す説明図であり、「比率」が「全体」である場合の例を示した。図６（ａ）は元の画像データを示している。図６（ａ）に示す例では、元の画像データのサイズは３０００×２４００画素（縦横比は４：５）である。図６（ｂ）は、縦横比を一定に保ちつつサイズを減少した後の画像データを示しており、サイズは１５００×１２００画素に減少されている。図６（ｃ）は、図６（ｂ）の画像データをプレゼンテーション用シートｓｈに貼り付けた様子を示している。プロジェクタ５００の解像度は１６００×１２００画素（縦横比は３：４）であるから、プロジェクタ５００の幅の方がサイズ減少後の画像データの幅より長くなる。このような場合、プロジェクタ５００の画面上の余白が左右均等になるように、サイズ減少後の画像データをプレゼンテーション用シートｓｈに貼り付けるものとしても良い。
【００４１】
ところで、元の画像データの縦横比を変えないように画像データのサイズを減少させるには、様々なパターンがある。図６（ｂ）の画像データは、縦の画素数がプロジェクタの縦の画素数に一致するよう、元の画像データからサイズを減少されてできた画像であるが、横の画素数がプロジェクタの横の画素数に一致するようサイズを減少させても良い。つまり、図６（ｄ）のように、１６００×１２８０画素に減少させるものとしても良い。図６（ｅ）は、図６（ｄ）の画像データをプレゼンテーション用シートｓｈに貼り付けた様子を示している。この場合には、画像の上端部分と下端部分は表示されないが、実用上の問題は無い。
【００４２】
なお、「比率」が「全体」でない場合にも、画像の縦の画素数と横の画素数のうちのいずれか一方が、指定された比率に合致するように画像データのサイズを減少させれば良い。
【００４３】
（２）また、本実施例では、プレゼンテーション用シートｓｈに貼り付ける画像データのサイズは「比率」で指定されるが、１０２４×７６８画素など、サイズで指定されるものとしても良い。この場合、元の画像データの縦横比は、指定サイズにあわせて変更するものとしても良い。
【００４４】
（３）本実施例では、プロジェクタ５００の解像度と「比率」に基づいて元の画像データのサイズを減少させていたが、プロジェクタ５００の解像度のみに基づいて元の画像データのサイズを減少させるものとしても良い。例えば、元の画像データのサイズを常にプロジェクタ５００の解像度まで減少させるものとしても良い。この場合も、画像配置情報を変更することにより、画像データのプレゼンテーション用シートｓｈ上の見かけのサイズは変更可能である。
【００４５】
（４）本実施例では、プレゼンテーション用シートｓｈに画像データを貼り付けるために、サイズ減少装置１００や連携プログラム２００を用いている。しかし、プレゼンテーション用シートｓｈに限らず、様々な種類のデータに画像データを貼り付ける際に、サイズ減少装置１００や連携プログラム２００を用いることができる。そして、プレゼンテーション作成支援プログラム６００の機能は、様々な種類のデータを作成するプログラムに適用可能である。
【００４６】
（５）サイズ減少装置１００の機能は、パーソナルコンピュータ３００内に設けるものとしても良い。また、プレゼンテーション作成支援プログラム６００の機能は、連携プログラム２００が有していても良い。
【００４７】
（６）本実施例では、画像データの貼り付けはドラッグ＆ドロップにより行なっているが、画像一覧ｓｎに「挿入ボタン」を設けても良い。この場合、画像データは、プレゼンテーション用シートｓｈにおいて、カーソルの存在する位置に貼り付けられるものとしても良い。
【００４８】
（７）本実施例では、プロジェクタ５００の解像度は、画像貼付データを生成する際に取得しているが、予め取得しておいても構わない。
【図面の簡単な説明】
【００４９】
【図１】本発明の一実施例としての画像処理装置を備えた画像処理システムの全体構成図。
【図２】サイズ情報について説明するための説明図。
【図３】画像貼付データ生成処理を示すフローチャート。
【図４】解像度取得画面を示す説明図。
【図５】画像一覧ｓｎとサイズ取得エリアｓｚ、及びプレゼンテーション用シートｓｈを示す説明図。
【図６】元の画像データの縦横比を変化させない例を示す説明図。
【符号の説明】
【００５０】
１００...サイズ減少装置
１０５...画像ＤＢ
１１０...画像一覧作成部
１１５...送受信部
１２０...サイズ減少部
１２５...制御部
２００...連携プログラム
２１０...制御部
２１５...サイズ情報取得部
２２０...解像度取得部
２２５...送受信部
３００...パーソナルコンピュータ
４００...外部記憶装置
５００...プロジェクタ
６００...プレゼンテーション作成支援プログラム
７００...選択エリア
ｇｍ...画面
ｓｈ...プレゼンテーション用シート
ｓｎ...画像一覧
ｓｚ...サイズ取得エリア
【図１】
2005311803.tif 000003
【図２】
2005311803.tif 000004
【図３】
2005311803.tif 000005
【図４】
2005311803.tif 000006
【図５】
2005311803.tif 000007
【図６】
2005311803.tif 000008